(57)【要約】  生体被験者のバイオフィールドを画像化して検出するシステム及び方法を提供する。バイオフィールド検出システムは、核磁気共鳴画像化システムと、流体及び生体被験者を保持するように構成された流体容器と、流体ボリュームのコヒーレンスを高めるように構成された流体管理システムと、を含む幾つかの機能を含んでよい。バイオフィールド検出システムは、被験者がいない状態の流体のベースラインＮＭＲ画像を、被験者を取り巻く流体のＮＭＲ画像と比較するバイオフィールド検出方式を実施してよい。これら２つの画像を比較及び分析することにより、被験者の場効果に関連する変化を検出することが可能である。流体ボリューム又は生体被験者に環境因子を投入することが可能なシステム及び方法も提供する。後続の検出スキャンにより、環境因子の投入に基づくバイオフィールドの変化を検出することが可能である。
2018519118.tif 000002
【特許請求の範囲】
【請求項１】
生体被験者を取り巻くバイオフィールドを画像化する方法であって、
核磁気共鳴画像化システムで流体ボリュームをスキャンしてベースラインデータセットを生成するステップと、
前記生体被験者が前記流体ボリューム内に配置された状態で、前記核磁気共鳴画像化システムで前記流体ボリュームをスキャンして検出データセットを生成するステップと、
コンピューティングシステムで前記検出データセットを前記ベースラインデータセットと比較して、前記流体ボリューム内の観測された横緩和時間及び／又は緩和速度の空間符号化された離散的な変化を含むバイオフィールドデータセットを生成するステップと、
前記コンピューティングシステムで、前記バイオフィールドデータセットから、前記生体被験者を取り巻く前記バイオフィールドの画像を生成するステップと、
を含む方法。
【請求項２】
診断の為に前記画像中のバイオフィールド異常を識別するステップを更に含む、請求項１に記載の方法。
【請求項３】
診断の為に、前記画像中のバイオフィールド異常を既知の分類に関連付けるステップを更に含む、請求項１に記載の方法。
【請求項４】
前記画像に基づいて前記生体被験者の病気を識別するステップを更に含む、請求項１に記載の方法。
【請求項５】
前記流体ボリュームに１つ以上の環境因子を投入するステップと、
前記生体被験者が前記流体ボリューム内に配置された状態で、前記核磁気共鳴画像化システムで前記流体ボリュームをスキャンして第２の検出データセットを生成するステップと、
前記コンピューティングシステムで前記ベースラインデータセットを前記第２の検出データセットと比較して、前記流体ボリューム内の観測された横緩和時間及び／又は緩和速度の離散的な変化を含む第２のバイオフィールドデータセットを生成するステップと、
前記コンピューティングシステムで、前記バイオフィールドデータセットから、前記生体被験者を取り巻く前記バイオフィールドの曝露後画像を生成するステップと、
を更に含む、請求項１に記載の方法。
【請求項６】
前記曝露後画像を前記画像と比較して、前記流体ボリュームへの前記１つ以上の環境因子の前記投入の前後でのバイオフィールドの変化を検出するステップを更に含む、請求項５に記載の方法。
【請求項７】
前記１つ以上の環境因子は、人工電磁場、自然発生電磁場、気体、液体、エアロゾル、固体、化合物、ミネラル、繊維、結晶、食品、及び薬物からなる群から選択される、請求項５に記載の方法。
【請求項８】
前記１つ以上の環境因子は、治療及び処置の方法を含む、請求項５に記載の方法。
【請求項９】
前記生体被験者を取り巻く前記バイオフィールドの前記曝露後画像を表示するステップを更に含む、請求項５に記載の方法。
【請求項１０】
前記流体ボリュームのコヒーレンスが高まるように前記流体ボリュームを処置するステップを更に含む、請求項１に記載の方法。
【請求項１１】
前記生体被験者を取り巻く前記バイオフィールドの前記画像を表示するステップを更に含む、請求項１に記載の方法。
【請求項１２】
前記ベースラインデータセットは、前記生体被験者が前記流体ボリューム内に配置されていない状態で生成される、請求項１に記載の方法。
【請求項１３】
前記生体被験者を取り巻く前記バイオフィールドの前記画像は、前記生体被験者を取り巻く前記流体ボリュームにのみ関連する画像化情報を提供し、前記生体被験者の内部の解剖学的詳細に関連する画像化情報を提供しない、請求項１に記載の方法。
【請求項１４】
生体被験者を取り巻く流体を保持するようにサイズ決定及び構成された流体容器と、
前記流体容器内の前記流体の核磁気共鳴画像を生成するように構成された核磁気共鳴画像化（ＮＭＲＩ）システムと、
前記ＮＭＲＩシステムのスキャンシーケンスを生成及び制御するように構成されたコンピュータコントローラであって、前記コンピュータコントローラは、前記ＮＭＲＩシステムで、前記流体容器内の前記流体のベースラインスキャンを実施して、ベースラインデータセットを生成して記憶するように構成されており、前記コンピュータコントローラは、前記ＮＭＲＩシステムで、前記生体被験者が前記流体容器内に配置されている状態で、前記流体容器内の前記流体の検出スキャンを実施して、検出データセットを生成して記憶するように更に構成されており、前記コンピュータコントローラは、前記ベースラインデータセットを前記検出データセットと比較して、前記流体内の観測された横緩和時間及び／又は緩和速度の変化を含むバイオフィールドデータセットを生成するように更に構成されており、前記コンピュータコントローラは、前記生体被験者を取り巻く前記バイオフィールドのバイオフィールド画像を生成するように構成されている、前記コンピュータコントローラと、
前記バイオフィールド画像を表示するように構成されたディスプレイと、
を含むバイオフィールド検出システム。
【請求項１５】
流体及び生体被験者を保持するようにサイズ決定及び構成された流体容器と、
前記流体容器の前記流体内で静磁場を生成するように構成された核磁気共鳴画像化（ＮＭＲＩ）システムと、
前記流体容器内で前記生体被験者を取り巻く前記流体内の、前記生体被験者のバイオフィールドの画像を生成するように、前記ＮＭＲＩシステムのスキャンシーケンスを生成及び制御するように構成されたコンピュータコントローラと、
を含むバイオフィールド検出システム。
【請求項１６】
前記コンピュータコントローラは、前記生体被験者の内部の解剖学的詳細の画像を生成しない、請求項１５に記載のシステム。
【請求項１７】
貯蔵タンクと、流体を前記貯蔵タンクから前記流体容器に送り込むように構成された１つ以上のポンプと、を含む流体管理システムを更に含む、請求項１５に記載のシステム。
【請求項１８】
前記流体管理システムは更に、前記流体のコヒーレンスを高めるように構成された水質調整ユニットを含む、請求項１７に記載のシステム。
【請求項１９】
前記水質調整ユニットは、前記流体の前記コヒーレンスを高める為に微量の非水化合物を前記流体に加えるように適合されている、請求項１８に記載のシステム。
【請求項２０】
前記生体被験者のバイオフィールドの前記画像を表示するように構成されたディスプレイを更に含む、請求項１５に記載のシステム。
【発明の詳細な説明】
【技術分野】
【０００１】
関連出願の相互参照
本出願は、２０１５年６月３０日に出願された米国特許仮出願第６２／１８７，０４５号、件名「核磁気共鳴画像化によりバイオフィールドを検出して可視化するシステム及び方法（Ｓｙｓｔｅｍｓ  ａｎｄ  Ｍｅｔｈｏｄｓ  ｆｏｒ  Ｄｅｔｅｃｔｉｎｇ  ａｎｄ  Ｖｉｓｕａｌｉｚｉｎｇ  Ｂｉｏｆｉｅｌｄｓ  ｗｉｔｈ  Ｎｕｃｌｅａｒ  Ｍａｇｎｅｔｉｃ  Ｒｅｓｏｎａｎｃｅ  Ｉｍａｇｉｎｇ）」の利益を主張し、更に、２０１５年８月１１日に出願された米国特許仮出願第６２／２０３，７６０号、件名「核磁気共鳴画像化及びＱＥＤ量子コヒーレント流体浸漬によりバイオフィールドを検出して可視化するシステム及び方法（Ｓｙｓｔｅｍｓ  ａｎｄ  Ｍｅｔｈｏｄｓ  ｆｏｒ  Ｄｅｔｅｃｔｉｎｇ  ａｎｄ  Ｖｉｓｕａｌｉｚｉｎｇ  Ｂｉｏｆｉｅｌｄｓ  ｗｉｔｈ  Ｎｕｃｌｅａｒ  Ｍａｇｎｅｔｉｃ  Ｒｅｓｏｎａｎｃｅ  Ｉｍａｇｉｎｇ  ａｎｄ  ＱＥＤ  Ｑｕａｎｔｕｍ  Ｃｏｈｅｒｅｎｔ  Ｆｌｕｉｄ  Ｉｍｍｅｒｓｉｏｎ）」の利益を主張し、更に、２０１５年１１月２日に出願された米国特許出願第１４／９３０，５１６号、件名「核磁気共鳴画像化及びＱＥＤ量子コヒーレント流体浸漬によりバイオフィールドを検出して可視化するシステム及び方法（Ｓｙｓｔｅｍｓ  ａｎｄ  Ｍｅｔｈｏｄｓ  ｆｏｒ  Ｄｅｔｅｃｔｉｎｇ  ａｎｄ  Ｖｉｓｕａｌｉｚｉｎｇ  Ｂｉｏｆｉｅｌｄｓ  ｗｉｔｈ  Ｎｕｃｌｅａｒ  Ｍａｇｎｅｔｉｃ  Ｒｅｓｏｎａｎｃｅ  Ｉｍａｇｉｎｇ  ａｎｄ  ＱＥＤ  Ｑｕａｎｔｕｍ  Ｃｏｈｅｒｅｎｔ  Ｆｌｕｉｄ  Ｉｍｍｅｒｓｉｏｎ）」の利益を主張するものである。
文献の引用
【０００２】
本明細書中において言及される全ての刊行物及び特許出願は、それぞれ個々の刊行物又は特許出願が参照により具体的且つ個別に示されて組み込まれる場合と同程度に、参照により本明細書に組み込まれる。
【０００３】
本開示は、全般的には、生体から発せられるエネルギ場又はバイオフィールドを検出することに関する。特に、本開示は、量子コヒーレント液体生体通信経路内の浸漬及び核磁気共鳴画像化（ＮＭＲＩ）によって、生体のバイオフィールドに関連する構造、異常、及び双方向相互作用を検出、測定、可視化、及び特徴化するシステム及び方法を提供する。
【背景技術】
【０００４】
１９３８年の核磁気共鳴（ＭＭＲ）の発見、並びに１９４６年におけるその後の技術の展開以来、この分野の革新のほとんどが、ＮＭＲＩに関連する分野利用において行われてきた。１９７１年にＮＭＲＩが発見されると、これによって、研究及び診断を目的とする、人間及び動物の体内の解剖学的構造及び環境の医用画像化の装置及び方法に主に関連する開発が行われるようになった。
【０００５】
補完代替医療（ＣＡＭ）の分野では、生体が単なる、機能構成要素からなる生化学機構ではなく、環境との間でエネルギ及び情報を交換するエネルギシステムでもあるという認識が高まりつつある。このエネルギ交換は、生体系の健康及び活力に直接影響を及ぼし、それらを反映すると考えられる。
【０００６】
バイオフィールドは、一般に、生体の体を取り巻き、生体の体を貫通し、生体の体に浸透し、生体の体から発せられるエネルギ場として定義されてよい。生体は、人間、動物、細菌、植物などであってよい。これらのエネルギ場として、電場、磁場、電磁場、場のポテンシャル（例えば、磁気ベクトルポテンシャル及び／又は静電ポテンシャル）、音響エネルギ、非古典的量子場などがあってよい。ほぼ１００年にわたる科学研究を経ても、バイオフィールドを完全に特徴化することは困難であり、これは、バイオフィールドがおそらく、部分的には、科学者が直接観測することができない非古典的場によって構成されている為である。
【０００７】
生体のバイオフィールドが環境とどのように相互作用するか、並びに、バイオフィールドが体内の生物学的プロセスの動力学をどのように反映するか、を研究することにより、健康及び治癒に関連する深遠にして新しい知見が得られる。そのような知見は、病気、感染、及び他の症状が体内で物理的に発現する前に、バイオフィールド異常がいかにしてそれらの指標になるかを示すことが可能である。バイオフィールド内の一意識別可能なエネルギシグネチャが、人間の特定の身体的且つ／又は精神的な症状の発現及び治癒の両方の前兆であってよい。このような理解に立って、バイオフィールド自体との治療的相互作用に基づく有効な治癒様式の開発が推進されてよい。
【０００８】
水にはユニークな特性がある。即ち、水は、一般的な３つの相である気体、液体、固体の全ての形態で地球上に自然に、且つ豊富に存在する唯一の化合物である。水は、その物理特性、材料特性、位相特性、密度特性、及び熱力学特性において、非常に様々な、特異な性質を示す。水は、その周囲環境と高度に相互作用し、他の双極子及びイオンとの静電相互作用に関与し、ドナーとしてもアクセプタとしても、他の水分子及び水に溶けている分子化合物との水素結合を素早く形成する。水分子の水素結合特性は、非常に大きな形態的可撓性を水分子にもたらす。水は、液体形態では、密度及び安定形態、幾何学的超分子構造、又は環境条件下で位相コヒーレンスを高めるクラスタが異なる２つの状態が同時に存在することがわかっている。このような「準結晶」構造は、実際には、液体の水に関しては、量子電磁力学（ＱＥＤ）によって予測される。
【０００９】
ＱＥＤによれば、水の量子コヒーレンスは、量子真空の変動、並びに物質量子場と電磁場との相互作用（結合）から生じる。ここで、水分子は、２つの単一粒子状態の間で一斉に振動し、ゼロにならないＥＭ場をアンサンブル内に閉じ込め、そこでは、位相相関が磁気ベクトルポテンシャル（Ａ）によって保持される。閉じ込められたＥＭ場は、増大して、同じ種類の他の分子を引きつける。結果として得られる安定した（長寿命の）キャビティを、量子コヒーレンスドメイン（ＣＤ）と呼ぶ。場の波長はＣＤのサイズであり、その周波数は、分子アンサンブル（物質場）のエネルギレベルに関連する。この、適切な条件下での、気体状態の水分子間での自己生成ＣＤ形成によって、暴走又は雪崩のプロセスが達成され、これにより、システムが飽和に動き、結果として液体への相転移が起こる。そして、ＱＥＤによれば、その液体状態で、同じ熱力学的条件下で複数のコヒーレント液体水相が共存しうる。
【００１０】
これまでのところ、生体から発せられ、生体を取り巻くバイオフィールドを検出する為にＮＭＲＩ装置及び／又は方法を用いることに関連する公開された研究又は先行技術引用はない。本開示は、ＮＭＲＩによるバイオフィールド検出方法を提供するものであり、この方法は、バイオフィールドがエネルギ場として物質と相互作用するという概念、並びに共鳴を用いて、生体の周囲の、生体のエネルギシグネチャを観測することが可能であるという概念を取り入れている。おそらく、本開示におけるＮＭＲＩの新規な用途の最も際立った特徴は、それが、生体の内部の解剖学的構造及び代謝機能を特徴化しようとするものでは全くなく、これらを取り巻く核の共鳴に重点を置くことである。
【発明の概要】
【発明が解決しようとする課題】
【００１１】
本発明は、上記従来技術の課題を解決するためのものである。
【課題を解決するための手段】
【００１２】
生体被験者を取り巻くバイオフィールドを画像化する方法が提供され、本方法は、核磁気共鳴画像化システムで流体ボリュームをスキャンしてベースラインデータセットを生成するステップと、生体被験者が流体ボリューム内に配置された状態で、核磁気共鳴画像化システムで流体ボリュームをスキャンして検出データセットを生成するステップと、コンピューティングシステムで検出データセットをベースラインデータセットと比較して、流体ボリューム内の観測された横緩和時間及び／又は緩和速度の空間符号化された離散的な変化を含むバイオフィールドデータセットを生成するステップと、コンピューティングシステムで、バイオフィールドデータセットから、生体被験者を取り巻くバイオフィールドの画像を生成するステップと、を含む。
【００１３】
実施形態によっては、本方法は更に、診断の為に画像中のバイオフィールド異常を識別するステップを含む。又、実施形態によっては、本方法は更に、診断の為に、画像中のバイオフィールド異常をカタログ登録するステップを含む。又、実施形態によっては、本方法は更に、診断の為に、画像中のバイオフィールド異常を既知の分類に関連付けるステップを含む。
【００１４】
実施形態によっては、本方法は更に、画像に基づいて生体被験者の病気を識別するステップを含む。又、実施形態によっては、本方法は更に、画像に基づいて生体被験者の感染を識別するステップを含む。又、実施形態によっては、本方法は更に、画像に基づいて生体被験者の生理学的症状を識別するステップを含む。又、実施形態によっては、本方法は更に、画像に基づいて生体被験者の心理学的症状を識別するステップを含む。
【００１５】
一実施形態では、生体被験者は人間被験者を含む。
【００１６】
実施形態によっては、本方法は更に、流体ボリュームに１つ以上の環境因子を投入するステップと、生体被験者が流体ボリューム内に配置された状態で、核磁気共鳴画像化システムで流体ボリュームをスキャンして第２の検出データセットを生成するステップと、コンピューティングシステムでベースラインデータセットを第２の検出データセットと比較して、流体ボリューム内の観測された横緩和時間及び／又は緩和速度の離散的な変化を含む第２のバイオフィールドデータセットを生成するステップと、コンピューティングシステムで、バイオフィールドデータセットから、生体被験者を取り巻くバイオフィールドの曝露後画像を生成するステップと、を含む。
【００１７】
実施形態によっては、本方法は更に、曝露後画像を前記画像と比較して、流体ボリュームへの１つ以上の環境因子の投入の前後でのバイオフィールドの変化を検出するステップを含む。
【００１８】
一実施形態では、１つ以上の環境因子は、人工電磁場、自然発生電磁場、気体、液体、エアロゾル、固体、化合物、ミネラル、繊維、結晶、食品、及び薬物からなる群から選択される。又、実施形態によっては、１つ以上の環境因子は、治療及び処置の方法を含む。
【００１９】
実施形態によっては、本方法は更に、流体ボリュームのコヒーレンスが高まるように流体ボリュームを処置するステップを含む。
【００２０】
又、実施形態によっては、本方法は更に、流体ボリュームをスキャンして第２の検出データセットを生成する前に流体ボリュームを消磁するステップを含む。実施形態によっては、本方法は、流体ボリュームをスキャンして第２の検出データセットを生成する前に流体ボリュームを消磁するステップを含む。
【００２１】
一実施形態では、本方法は更に、生体被験者を取り巻くバイオフィールドの画像を表示するステップを含む。実施形態によっては、本方法は更に、生体被験者を取り巻くバイオフィールドの曝露後画像を表示するステップを含む。
【００２２】
一実施形態では、ベースラインデータセットは、生体被験者が流体ボリューム内に配置されていない状態で生成される。実施形態によっては、生体被験者を取り巻くバイオフィールドの画像は、生体被験者を取り巻く流体ボリュームにのみ関連する画像化情報を提供し、生体被験者の解剖学的詳細に関連する画像化情報を提供しない。
【００２３】
バイオフィールド検出システムも提供され、本システムは、生体被験者を取り巻く流体をを保持するようにサイズ決定及び構成された流体容器と、流体容器内の流体の核磁気共鳴画像を生成するように構成された核磁気共鳴画像化（ＮＭＲＩ）システムと、ＮＭＲＩシステムのスキャンシーケンスを生成及び制御するように構成されたコンピュータコントローラであって、コンピュータコントローラは、ＮＭＲＩシステムで、流体容器内の流体のベースラインスキャンを実施して、ベースラインデータセットを生成して記憶するように構成されており、コンピュータコントローラは、ＮＭＲＩシステムで、生体被験者が流体容器内に配置されている状態で、流体容器内の流体の検出スキャンを実施して、検出データセットを生成して記憶するように更に構成されており、コンピュータコントローラは、ベースラインデータセットを検出データセットと比較して、流体内の観測された横緩和時間及び／又は緩和速度の変化を含むバイオフィールドデータセットを生成するように更に構成されており、コンピュータコントローラは、生体被験者を取り巻くバイオフィールドのバイオフィールド画像を生成するように構成されている、コンピュータコントローラと、バイオフィールド画像を表示するように構成されたディスプレイと、を含む。
【００２４】
一実施形態では、本システムは更に、貯蔵タンクと、流体を貯蔵タンクから流体容器に送り込むように構成された１つ以上のポンプと、を含む流体管理システムを含む。実施形態によっては、流体管理システムは、流体の温度を制御するように構成されている。又、実施形態によっては、流体管理システムは、流体容器内の流体の流体水位を維持するように構成されている。
【００２５】
又、実施形態によっては、流体管理システムは更に、流体のコヒーレンスを高めるように構成された水質調整ユニットを含む。実施形態によっては、水質調整ユニットは、流体のコヒーレンスを高める為に微量の非水化合物を流体に加えるように適合されている。又、実施形態によっては、水質調整ユニットは、流体のコヒーレンスを高める為に、流体をガラス又は石英結晶に通して濾過するように構成されている。
【００２６】
又、実施形態によっては、流体管理システムは更に、流出タンクを含み、流体タンクには流体を流体容器から送り込んだり排出したりできる。
【００２７】
実施形態によっては、流体管理システムは更に、流出タンクからの流体を消磁して構造破壊するように構成された消磁ユニットを含む。
【００２８】
又、実施形態によっては、流体管理システムは更に、構造破壊された流体を濾過するように構成された濾過システムを含む。
【００２９】
一実施形態では、ＮＭＲＩシステムは更に、複数の主磁石、磁気勾配コイル、及びＲＦコイルを含む。又、実施形態によっては、ＮＭＲＩシステムはオープンボアアセンブリを含む。実施形態によっては、ＮＭＲＩシステムは、流体容器が見えて流体容器にアクセスできる開位置と、ＮＭＲＩシステムが流体容器を完全又は部分的に囲む閉位置との間で調節されてよい。
【００３０】
実施形態によっては、生体被験者は人間被験者を含む。
【００３１】
又、実施形態によっては、バイオフィールド画像は、生体被験者を取り巻く流体にのみ関連する画像化情報を提供し、生体被験者の内部の解剖学的詳細に関連する画像化情報を提供しない。
【００３２】
バイオフィールド検出システムが提供され、本システムは、流体及び生体被験者を保持するようにサイズ決定及び構成された流体容器と、流体容器の流体内で静磁場を生成するように構成された核磁気共鳴画像化（ＮＭＲＩ）システムと、流体容器内で生体被験者を取り巻く流体内の、生体被験者のバイオフィールドの画像を生成するように、ＮＭＲＩシステムのスキャンシーケンスを生成及び制御するように構成されたコンピュータコントローラと、を含む。
【００３３】
実施形態によっては、生体被験者は人間被験者を含む。
【００３４】
又、実施形態によっては、コンピュータコントローラは、生体被験者の内部の解剖学的詳細の画像を生成しない。
【００３５】
一実施形態では、本システムは更に、貯蔵タンクと、流体を貯蔵タンクから流体容器に送り込むように構成された１つ以上のポンプと、を含む流体管理システムを含む。実施形態によっては、流体管理システムは、流体の温度を制御するように構成されている。又、実施形態によっては、流体管理システムは、流体容器内の流体の流体水位を維持するように構成されている。実施形態によっては、流体管理システムは更に、流出タンクを含み、流体タンクには流体を流体容器から送り込んだり排出したりできる。又、実施形態によっては、流体管理システムは更に、流出タンクからの流体を消磁して構造破壊するように構成された消磁ユニットを含む。又、実施形態によっては、流体管理システムは更に、構造破壊された流体を濾過するように構成された濾過システムを含む。
【００３６】
又、実施形態によっては、流体管理システムは更に、流体のコヒーレンスを高めるように構成された水質調整ユニットを含む。一実施形態では、水質調整ユニットは、流体のコヒーレンスを高める為に微量の非水化合物を流体に加えるように適合されている。又、実施形態によっては、水質調整ユニットは、流体のコヒーレンスを高める為に、流体をガラス又は石英結晶に通して濾過するように構成されている。
【００３７】
一実施形態では、ＮＭＲＩシステムは更に、複数の主磁石、磁気勾配コイル、及びＲＦコイルを含む。又、実施形態によっては、ＮＭＲＩシステムはオープンボアアセンブリを含む。又、実施形態によっては、ＮＭＲＩシステムは、流体容器が見えて流体容器にアクセスできる開位置と、ＮＭＲＩシステムが流体容器を完全又は部分的に囲む閉位置との間で調節されてよい。
【００３８】
一実施形態では、本システムは更に、生体被験者のバイオフィールドの画像を表示するように構成されたディスプレイを含む。
【００３９】
後述の特許請求の範囲では、本発明の新規な特徴を具体的に説明する。本発明の原理が利用される例示的実施形態を説明する後述の詳細説明を以下の添付図面とともに参照することにより、本発明の特徴及び利点がよりよく理解されるであろう。
【図面の簡単な説明】
【００４０】
【図１】図１Ａ乃至図１Ｂはバイオフィールド検出システムの一実施形態を示す図である。
【図２】図２Ａ乃至図２Ｂはバイオフィールド検出システムの流体容器の別の実施形態を示す図である。
【図３】図３Ａ乃至図３Ｂはバイオフィールド検出システムの更に別の実施形態を示す図である。
【図４】図４はバイオフィールド検出システムの流体管理システムを示す図であり、貯蔵タンク及び流体管理システムを含む図である。
【図５】図５はバイオフィールド検出システムの概略図である。
【図６】図６はバイオフィールド画像のレンダリング方法を示すフローチャートである。
【図７】図７Ａ乃至図７Ｃはバイオフィールド検出システムによって得られる、ターゲット被験者を取り巻くバイオフィールドの画像がどのように見えうるかの一実施形態を示す図である。
【図８】図８Ａ乃至図８Ｃはベースラインスキャンシーケンス、検出スキャンシーケンス、及び後続の検出スキャンシーケンスを比較した後の画像の可視化及び比較の結果がどのように見えうるかの一実施形態を示す図である。
【発明を実施するための形態】
【００４１】
本開示の一目的は、生体から発せられるバイオフィールドとそれらの環境との間の複雑な双方向相互作用を検出して特徴化するシステム及び方法を提供することであり、これは、環境的、臨床的、且つ医療的な研究及び診断、並びに処置及び治療の方法の有効性の評価に用いられる。
【００４２】
本開示の一目的は、生体のバイオフィールドに好影響又は悪影響を及ぼす環境因子を識別して分離するシステム及び方法を提供することである。このような環境因子として、自然に発生する環境ＥＭＦ及び化合物、人工の環境ＥＭＦ及び化合物、エアロゾル、食品、植物、鉱物、結晶などが考えられ、これらに限定されない。
【００４３】
本開示の一目的は更に、バイオフィールド画像を可視化して操作すること、並びにこれらの画像に存在する異常を識別してカテゴライズすることを行う方法を提供することである。
【００４４】
本開示の一目的は更に、バイオフィールド異常を潜在的条件及び既知の原因因子とともに識別、リンク、及びカテゴライズすることにより、バイオフィールド画像化による診断及び処置評価を推進するシステム及び方法を提供することである。
【００４５】
本開示の一目的は更に、レンダリングされたバイオフィールド検出画像に基づいて、様々な環境暴露、指示の意図及び目的、及び／又は処置の生物学的効果を比較して分離するシステム及び方法を提供することである。
【００４６】
本開示の一目的は更に、従来の西洋医学並びに補完代替医療（ＣＡＭ）を含みうる既存の処置及び治療の方法の有効性を評価するシステム及び方法を提供することである。そのような検討が、新しい方法の開発にもつながりうる。
【００４７】
バイオフィールドの効果を検出又は推論する、この新規な方法の背後にある根本的な概念として、物質エネルギの相互作用の既知の現象、並びに場の相互作用の簡略化された理論モデルを与える重ね合わせの原理がある。生体のバイオフィールドとその環境及び処置方法との間の双方向相互作用を検出して特徴化する、この新規な方法は更に、凝縮物質内の量子電磁力学（ＱＥＤ）的コヒーレンスの現象、及び核磁気共鳴を含む。
【００４８】
流体、そして特に液体水の中のコヒーレンスの現象は、本開示の文脈の中で中心的な役割を担う。本開示の一目的は、生体とそれらの環境との間の生体情報の双方向通信を推進及び強化するシステム及び方法を提供することである。化学反応によって引き起こされる、流体ＣＤ内の局所相転移が、潜在的なＥＭポテンシャル場によって遠隔コヒーレント領域全体にわたって伝達されることが可能であり、これによって、エネルギ転送がない遠距離相関が可能になる。本開示は、流体浸漬容器及び流体管理システムとともに動作することにより、生体バイオフィールド、生体バイオフィールドと様々な環境因子との間の相互作用、及び医療処置及びＣＡＭ治療方法に対する生体バイオフィールドの応答性をキャプチャして可視化する専用ＮＭＲＩ装置を包含する。実施形態によっては、流体管理システムは、流体ボリュームのコヒーレンスが高まるように流体ボリュームを強化又は修正することが可能である。
【００４９】
本明細書において提供されるシステム及び方法は、静磁場、及び磁場勾配をかけ、検出スキャン中にＲＦパルスシーケンスを使用して、生体を取り巻く流体ボリューム内の原子核を励起することにより、バイオフィールド効果を分離する。観測される、流体ボリューム内の核の横（スピン−スピン）緩和応答を測定、記録、及び処理することが可能である。検出スキャンの結果を、生体がない流体ボリュームのベースラインスキャンの間に取得された測定結果と比較するコンピュータアルゴリズムを実施することが可能である。２つの測定結果の間の応答時間、応答速度、及び／又は他の信号特性のわずかな変化が、部分的には、生体を取り巻くバイオフィールドの効果に起因する可能性がある。
【００５０】
本明細書において提供されるシステム及び方法は又、環境因子を流体ボリューム内に、又は生体上に、又は生体内に、又は生体の近くに投入して、バイオフィールドに対する効果を観測及び調査する。このような環境因子として、自然に発生する環境ＥＭＦ及び化合物、人工の環境ＥＭＦ及び化合物、エアロゾル、食品、植物、鉱物、結晶などが考えられる。例えば、無生物の試料をカプセル化して、生体の体に近接させて配置したり、生体の体に局所的に貼り付けたり、生体の体内に吸い込ませたり、注入したり、摂取させたりすることが可能である。例えば、環境ＥＭＦの場合には、狭帯域フィルタリングがなされた光源を、流体容器の壁の外から生体に向けてよい。
【００５１】
環境因子の投入後に後続の検出スキャンを開始してよく、その結果を、最初の検出スキャンと比較してよい。最初の検出スキャンと、後続の曝露／処置後の検出スキャンとの間でのバイオフィールド特性の変化を、自動的に識別、分離、及び視覚的強調表示することが可能である。この連続の検出スキャン及び比較を実施することにより、特定のバイオフィールド相互作用効果の時間変化を評価することが可能である。
【００５２】
本開示によれば、ＮＭＲＩを使用するバイオフィールドの検出及び特徴化において注目すべきは、水溶液内での位相コヒーレンス及び超分子構造形成である。これまでのところ、生体から発せられ、生体を取り巻くバイオフィールドを検出する為にＮＭＲＩ装置及び／又は方法を用いることに関連する公開された研究又は先行技術引用はない。同じことが、量子コヒーレンスが強化された液状媒体での浸漬を利用して、生体のバイオフィールド相互作用を観測及び活用する為の生体通信経路を形成する、という概念に関しても当てはまる。本開示は、バイオフィールド検出方法を提供するものであり、この方法は、バイオフィールドがエネルギ場として物質と相互作用するという概念、並びに核共鳴を用いて、生体の周囲の、生体のエネルギシグネチャを検出することが可能であるという概念を取り入れている。従来のＮＭＲＩの当業者にとって、本明細書に記載の新規な用途の最も際立った特徴の１つは、それが、生体の内部の解剖学的構造及び代謝機能を特徴化しようとするものでは全くなく、生体を取り巻く液状媒体中の核の共鳴に重点を置くことである。
【００５３】
様々な生体、そして特に人間の環境因子に対するバイオフィールド応答の連続の測定結果を、その後、特徴化することが可能である。バイオフィールド効果は、分離し、識別し、カタログ登録することが可能である。コヒーレント流体媒体を利用して生体通信経路を形成する、治療及び処置の方法は、用途及び繰り返し測定に基づいて、評価及び改良されることが可能である。
【００５４】
本明細書に記載の手法を用いて、２つの創発的バイオフィールドパターンを検出することが可能である。第１のパターンは、生体を取り巻き、外に向かって拡大し、肉体の形状にほぼ合致する構造化（層状）バイオフィールドパターンである。第２のパターンは、位相コヒーレンスの度合いの変化を表し、多くの場合には、内因性バイオフィールドのコヒーレンスが病気や障害に起因して漸減することを反映する局所化異常パターンである。
【００５５】
これらのバイオフィールド関連の変化を、局所化し、分離し、生体のバイオフィールドのイメージを２Ｄ及び３Ｄでレンダリングする為の入力として使用することが可能である。様々な生体、そして特に人間のバイオフィールドの繰り返し測定結果を、時間に対して特徴化することが可能である。異常を識別し、カタログ登録して、既知又は推定される潜在的原因とともに分類することが可能である。治療方法は、用途及び繰り返しバイオフィールド測定結果に基づいて評価されてよい。
【００５６】
本明細書に記載のシステム及び方法は、生体及び周囲の水ボリュームを包み込む統合量子コヒーレント媒体を形成することにより、内因性バイオフィールドが外側へ伝搬して高共鳴環境内で外因的に発現することを可能にする。この、コヒーレント媒体からの発現を、ＮＭＲＩにより、抽出して可視化することが可能である。この媒体は、本質的には、技術によって有効化された生体通信経路であり、双方向である。この双方向通信により、幾つかの研究、医療診断、処置、及び治療の各用途を推進することが可能になる。このような用途として、ＥＭ場や生物毒素などの環境作用物の時間依存バイオフィールド効果の調査及び特徴化、病原体及び病状に関するバイオフィールドシグネチャの分類、従来の西洋医学的方法並びに補完代替医療的方法を含む処置方法の評価及び開発などがある。
【００５７】
本開示では、ＮＭＲＩ装置を使用することについて記述しており、このＮＭＲＩ装置は、主磁気アレイ、シム（シムコイル）、磁気勾配コイル、及びＲＦ送受信コイルを含み、流体ボリューム内に存在する原子種の横（スピン−スピン）緩和を励起、測定、及び局所化するように特に設計されている。流体ボリュームは、ＮＭＲＩ装置との使用に適する特別設計の流体容器に収容されてよい。流体管理システムも含まれてよい。
【００５８】
ＮＭＲＩ装置は、流体ボリューム内に１つ以上の生体が存在する状態としない状態の両方で、流体ボリュームの核スピン励起及び核スピン緩和の測定を制御するように構成された、コンピュータ化された制御システムを含んでよい。各プロセスから得られた磁気共鳴（ＭＲ）信号を、ＮＭＲＩ装置により、検出、処理、及び保存することが可能である。そして、それら２つの手続きの局所化結果が、緩和時間、速度、及び、場合によっては、他の磁気共鳴ＭＲ信号特性の、バイオフィールド関連の変化に関して比較及び分析される。
【００５９】
これらの局所化Ｔ２＊応答変化を分離して定量化することにより、生体の周囲のバイオフィールドのイメージをレンダリングすることが可能である。バイオフィールドの構造的な特徴及び特性を明らかにする為に、変域−値セットに色を割り当ててよい。
【００６０】
この装置及び方法の研究及び実用により、様々な生体に関連するバイオフィールドの特徴及び動力学の理解を深めることが可能であり、これは、バイオフィールド異常を既知の分類枠組みに関連付けること、そして、場合によっては、健康な状態、並びに病気や障害の状態に関して、新しい類別及び分類の方式を作り出したり、これを既知の分類方式に加えたりすることにより、可能である。この知見により更に、診断及び処置方法の評価に関する統合データベースの開発を可能にすることができる。
【００６１】
図１Ａ及び図１Ｂは、生体（例えば、人間）を取り巻くバイオフィールドを検出するように構成されたバイオフィールド検出システム１００の正面図及び側面図をそれぞれ示す。バイオフィールド検出システム１００は、大まかには、流体容器１０２及び核磁気共鳴画像化（ＮＭＲＩ）システム１０４を含んでよい。流体容器は、大まかには、流体と評価される生体とを収容するようにサイズ決定及び構成されてよい。図１Ａ及び図１Ｂに示された実施形態は、成人を評価するようにサイズ決定された円筒形の流体容器を含むが、より小さいか大きい生体向けに他のサイズの流体容器が実施されてもよい。
【００６２】
図１Ａ〜１Ｂ及び図２Ａ〜２Ｂに示されるように、流体容器１０２は、アクリルガラス（ポリメチルメタクリレート）などの透明な材料を含んでよい。アクリルのように強磁性体化合物を含有しない透明材料は、アクリル材料の構成要素境界の原子核のジャイロ磁気特性が、バイオフィールド検出中に生成されるＲＦ送受信信号を邪魔したり歪ませたりしないという点で有利となりうる。例えば、アクリルガラスの化学組成は、流体容器中の流体と、流体容器のアクリル壁との間での信号処理の明確な差別化を可能にすることができる。
【００６３】
図示された実施形態では、人間被験者が流体容器１０２中に完全に浸漬されている。一実施形態では、被験者は、流体中に直立して浸漬されてよい。一特定実施形態では、容器は、円筒形状であって、寸法が大まかに高さ２〜３ｍ、幅１〜１．８ｍ、壁厚１〜２ｃｍであってよい。又、実施形態によっては、流体容器は、人間被験者がうつぶせの姿勢でバイオフィールド検出を行えるように、水平に配置されてよい。又、実施形態によっては、流体容器は、更に様々な形状であってよい。例えば、流体容器１０２は矩形形状であってよい。他の種類の生体に対しては、様々な寸法の矩形、円筒形、又は球形の形状であってよい。
【００６４】
流体容器は、水などの流体で満たされてよく、流体の温度は、顕著な対流運動を引き起こすほどではない、人間被験者にとって快適な温度であってよい（例えば、ほぼ室温の水で満たされてよい）。実施形態によっては、精製水が使用されてよい。水は、そのユニークな性質と、１Ｈ核のＮＭＲ応答が強いことから、ＮＭＲＩシステムとともに使用する上で望ましいものでありうる。水と、適切なジャイロ磁気比を有する他の分子化合物及び／又は常磁性イオンとの組み合わせを含む他の流体混合物が使用されてよく、例えば、ＰＯ４が使用されてよい。実施形態によっては、流体容器は、流体ボリューム内の量子コヒーレンスの強化レベルを維持するように特に調整された流体を有する流体管理システム（後述）からの流体で満たされてよい。
【００６５】
一実施形態では、流体容器は、開口上端部１０８からのアクセスが可能である。人間被験者は、上端部から流体中に下ろされて、容器の底面近くに配置されたプラットフォーム１１０の上に立ってよく、或いはプラットフォーム１１０によって支持されてよい。プラットフォーム１１０は、アクリルガラスなどの、流体容器と同じ材料を含んでよい。流体容器中の流体水位とプラットフォームの高さは、バイオフィールドのスキャンされる場所に応じて調節可能である。全身をスキャンする場合、被験者は完全に流体中に沈められなければならず、被験者の頭より上と足より下は十分な流体で覆われなければならない。例えば、プラットフォームは、足より下の流体が少なくとも４０ｃｍになるように調節されてよく、容器は、被験者の頭より上の流体の高さが少なくとも４０ｃｍになるように満たされてよく、これによって、スキャンは、頭より上と足より下に延びるバイオフィールドを確実にカバーする。スキャンのターゲットとなるボディ領域がより小さい場合には、被験者を必ずしも完全に沈めなくてよい。被験者を流体中に完全に沈める場合には、被験者が呼吸できるように、シュノーケルや呼吸可能な空気の配管などの呼吸装置１１２が使用されてよい。
【００６６】
図１Ａ及び図１Ｂを更に参照すると、ＮＭＲＩシステム１０４は、流体容器１０２に隣接して配置されてよく、オープンボアアセンブリを含んでよく、オープンボアアセンブリは、複数の主磁石、シム（シムコイル）、磁気勾配コイル、及びＲＦコイル（送受信、フェーズドアレイ、個別又は複合）を含む。使用される主磁石として、永久磁石、常伝導磁石、永久磁石と常伝導磁石との組み合わせ、又は超伝導磁石があってよい。ＮＭＲＩシステムは、流体容器の流体ボリューム内に静磁場を発生させるように構成されてよい。
【００６７】
図１Ａ及び図１Ｂの実施形態に示されたＮＭＲＩシステムは、「Ｓ極」Ｓ及び「Ｎ極」Ｎを有する単極対１１４を含む。これに対し、図３Ａ及び図３Ｂの実施形態に示されるＮＭＲＩシステム１０４は、一対の「Ｓ極」Ｓと一対の「Ｎ極」Ｎとを有する２つの極対１１４及び１１６を有する。ＮＭＲＩシステム１０４の極対は、フレーム１１７によって支持されてよい。実施形態によっては、フレーム１１７は、流体容器が垂直に配置されても水平に配置されても対応するように、ＮＭＲＩシステムの回転及び／又は移動を可能にするように構成されてよい。例えば、フレーム１１７は、極対を適正な画像化位置まで回転及び移動させる為のヒンジ、レール、及び／又はトラックを１つ以上含んでよい。実施形態によっては、フレームは更に、ＮＭＲＩシステムを移動及び回転させるように構成された油圧システムを含んでよい。
【００６８】
流体容器及びＮＭＲＩシステムの寸法は、評価される生体の種類に応じて様々であってよい。生体がより小さい場合、流体容器の寸法は、従来型のＮＭＲＩシステム構成が使用可能になるようなものであってよい。生体がより大きい場合、従って流体容器がより大きくなる場合には、ＮＭＲＩシステム構成の修正が必要になる可能性がある。例えば、人間被験者用に設計された流体容器が、水平なうつぶせ姿勢に加えて、垂直な立った姿勢に対応しなければならない場合がある。両方の姿勢に対応する為に、ＮＭＲＩシステムは、流体容器内の人間被験者のいずれの側にも磁極を配置するように回転及び持ち上げが行われるように構成されたフレームを含んでよい。垂直配置及び水平配置の両方のスキャンシーケンスを扱う為の最大限の柔軟性を実現する為に、ＮＭＲＩシステムの極対構成は、複数の位置の間で回転するように設計されてよい。実施形態によっては、この回転プロセスの間は、この動作に伴うストレス負荷を最小限に抑える為に、流体容器を空にする。
【００６９】
様々なＮＭＲＩ構成が実施されてよく、例えば、双極子オープンボア構成、「Ｃ」字形オープンボア構成、クローズドボア構成などが実施されてよい。完全なクローズドボア設計は、人間被験者の場合には、閉所恐怖症を引き起こす可能性があることから、あまり望ましくないと考えられる。
【００７０】
人間被験者の場合は、バイオフィールドを、人間被験者の単なる一部として見るのではなく、統合された全体として見るのが望ましいと考えられる。磁気勾配の非線形性（即ち、磁気アイソセンタから遠ざかるにつれて磁場が低下する傾向）の為、単一磁極対で成人のバイオフィールドの全身の画像を取得するのは実現不可能であると考えられる。これは、バイオフィールドが被験者の頭より上と足より下にも延びている為である。従って、人間被験者の全身スキャンを何回か行う為に、図３Ａ及び図３Ｂの実施形態に示されるような、２つの極対を含む特別構成の磁気アセンブリが必要になるであろう。又、実施形態によっては、画像化される被験者のサイズに応じて、３つ以上の極対がＮＭＲＩシステムに含まれてよい。
【００７１】
人間及び動物に対して使用するように設計された従来型のＮＭＲＩシステムでは、ＲＦ受信コイルは、典型的には、スキャンされる特定の解剖学的形状（例えば、脳、上部胸郭、脚部など）に合わせて設計され、スキャンシーケンスに先立って体表に直接配置されることが多い。これに対し、本開示によれば、ＮＭＲＩシステムは、体「内」の流体ボリュームではなく体を「取り巻く」流体ボリューム中の励起された原子核の横（スピン−スピン）緩和を検出することにより、被験者自体ではなく、被験者を取り巻くバイオフィールドを画像化するように構成されている。従って、本開示の受信コイルアーキテクチャは、被験者を取り巻く流体ボリュームのパラレルイメージングをサポートするように適合された均一なマルチチャネルフェーズドアレイ構成であってよい。後で詳述するように、コイルアレイは、磁極アセンブリの最内部の要素であり、流体容器の外壁と面を接する。
【００７２】
水は、その周囲環境と高度に相互作用し、他の双極子及びイオンとの静電相互作用に関与し、ドナーとしてもアクセプタとしても、他の水分子及び水に溶けている分子化合物との水素結合を素早く形成する。水分子の水素結合特性は、非常に大きな形態的可撓性を水分子にもたらす。外部磁場が、超分子の水クラスタの安定性及び水素結合強度を高め、その一方で、個々の水分子の自己拡散を減らす。磁場への曝露が、水素結合された水クラスタの線状鎖及び連鎖の両方の形成を推進することが可能である。本開示では、凝縮物質内の量子コヒーレンスの現象に関連する理論的研究及び実験的証拠から導出された（ＮＭＲＩの）分野及び量子電磁力学の両方を利用する。
【００７３】
本明細書に記載のバイオフィールド検出システム構成によって形成される媒体では、量子コヒーレントシステムとしての被験者が流体ボリューム内に浸漬され、流体ボリュームは、そのコヒーレンス特性が最適化されるように強化されてよい。ＮＭＲＩシステムの静磁場に曝露された流体ボリューム内のコヒーレンスを、長いコヒーレンスを推進する非水化合物を微量投入することによって強化することが可能である。本明細書に記載のシステム及び方法は、物質場と、流体ボリューム及び生体の干渉パターンとの間で、位相情報が容易に交換されるコヒーレント相互作用を可能にする。被験者から流体ボリューム内に伝達される生体情報は、流体ボリューム内の量子コヒーレンスドメインの位相及び構造（インプリンティング）を変化させる。これらの、バイオフィールドによって引き起こされる流体ボリュームの変化は、コヒーレンス（従って、構造）の度合いが、生体がないときの流体ボリュームのコヒーレンスに比べて大きいか小さいかを表す。流体ボリューム内の構造の度合いは、対応する結合の増減に相当する為、これは、流体ボリュームの測定されるＮＭＲシグネチャ（Ｔ２＊横緩和時間）に反映されることになる。
【００７４】
次に図４を参照すると、バイオフィールド検出システム１００は更に、流体管理システム１１８を含んでよく、これは、貯蔵タンク１２２と、濾過システム１２２と、１つ以上のポンプ１２３とを含み、ポンプ１２３は、配管１２９及びバルブ１３１を介して、流体を貯蔵タンク１２０から流体容器１０２に送り込んだり、流体容器１０２から汲み出したりするように構成されている。ポンプ１２３は、任意選択で、流体を流体容器から１つ以上のドレン１２５及び／又は貯蔵タンク１２０、或いは流出タンク１４１に汲み出してよく、又、流体容器１０２内の流体水位を維持するように構成されてもよい。流体ボリュームが汚染された場合、又は流体ボリュームの急ぎの排水が必要な場合には、流体容器中の流体をバルブ１３１からドレン１２５へ速やかに排出することが可能である。貯蔵タンク１２０は、バイオフィールドの検出中又は検出前に流体容器１０２を満たすのに十分な量の流体を保持するようにサイズ決定及び構成されてよい。実施形態によっては、貯蔵タンクは、流体容器を何回か満たすほどの流体を保持してよい。
【００７５】
流体管理システム１１８は更に、温度制御システム１２７を含んでよく、これは、流体容器に送達される際の流体の温度を、流体を加熱したり冷却したりすることを含めて制御するように構成される。温度制御システムは、例えば、天然ガス源１５９によって動力を供給されてよい。
【００７６】
流体管理システムには更に機能が含まれてよく、例えば、流体容器内の温度センサ１３３、貯蔵タンク及び流出タンク内の水位センサ１３５、貯蔵タンク内のＰＨセンサ１５５、貯蔵タンクを目視検査する為の、貯蔵タンクのアクセスキャップ１３７、タンクをベントする為の、貯蔵タンク及び流出タンクのエアベント１３９などが含まれてよい。流体容器１０２は、任意選択で、容器が流体で満たされすぎるのを防ぐ溢水口１６５を含んでよい。
【００７７】
図４を更に参照すると、水源１６３からシステムに水が投入されてよく、水源１６３は、水道水又は雨水貯留槽であってよい。これらの水源は、典型的には、水ボリューム内でのコヒーレントドメインの形成を促進しうる溶質を含む。バルブ１３１は、システム制御コンソールから制御可能であってよく、或いは、手動で制御されてよい。
【００７８】
入力水は、水質調整ユニット１６１を通して注ぎ込まれてよい。この水質調整ユニットは、当該技術分野において知られている任意の水質調整ユニットであってよく、例えば、ガラス球又は石英結晶球で満たされたアクリルガラスシリンダであってよく、貯蔵入口１６７の垂直上方に配置されてよい。水は、水質調整ユニットの上から下へと濾過されて貯蔵タンク１２０に入ることが可能であるようになされてよい。実施形態によっては、水質調整ユニットは、ＮａＣｌ又はＫＣｌなどの非水化合物の固体錠剤を含んでもよい。これにより、流体管理システムの水質調整ユニットは、水が流体管理システムに投入される際に微量の非水化合物を水に加えることが可能になる。この水質調整ユニットは、コヒーレントドメインの形成を促進することによって、流体容器に送達される流体のコヒーレンスを強化するように設計されている。
【００７９】
流体管理システム中の流体は、流体容器中の流体ボリュームをバルブ１３１から流出タンク１４１に入れて流体容器を空にすることにより、リサイクルされてよい。流体が流出タンクから消磁ユニット１５７を通って汲み出されることにより、水が有効に構造破壊されて、水のコヒーレントドメインに含まれていたＥＭＦ／生体情報インプリンティングが除去されることが可能である。インプリンティングを除去された水は、濾過システム１２２を通って流れることが可能であり、濾過システム１２２は、流体を濾過及び／又は精製する為に、砂利、砂、及び／又は炭などであってよい様々な材料をある程度含んでよい。濾過された流体は、ポンプ１２３によって汲み上げられて水質調整ユニット１６１に戻されてよく、水質調整ユニット１６１で再調整されてから貯蔵タンクに転送されてよい。
【００８０】
図５は、バイオフィールド検出システム１００の更なる詳細を示す概略図であり、システム１００は、流体容器１０２、ＮＭＲＩシステム１０４、流体管理システム１１８、貯蔵タンク１２０、及び流出タンク１４１を含む。ＮＭＲＩシステム１０４は、複数の主磁石１２４、勾配コイル１２６、及びＲＦコイル１２８を含んでよい。勾配コイル１２６は勾配制御装置１３０によって制御されてよく、勾配制御装置１３０によって生成された勾配波形が勾配増幅器１３２を介してフィードされて、画像化ボリューム全体にわたって磁場を直線的に変化させることが可能である。ＲＦコイル１２８はＲＦ送信機１３４によって制御されてよく、ＲＦ送信機１３４によって生成されたＲＦ波形がＲＦ増幅器１３６を介してフィードされて、画像化ターゲットボリューム内の核を励起し、その結果である核磁気共鳴信号をＲＦ受信機１３８において検出することが可能である。
【００８１】
バイオフィールド検出システム１００の全体的な制御は、コンピューティングシステム又はコンピュータ１４０によって行われてよい。コンピュータ１４０は、バイオフィールド検出システム１００の全ての側面を制御するように構成されたリモートコンピュータシステムであってよく、これは、例えば、ＮＭＲＩシステム及び全ての画像化パルスシーケンスの制御、並びに、流体容器１０２の流体管理を含む、流体管理システム１１８の制御を行うように構成される。コンピュータ１４０は、ＮＭＲＩシステムのあらゆる側面を制御するように構成されたハードウェア及びソフトウェアを含んでよく、これらは、例えば、ＮＭＲ画像を生成するのに必要な特定の画像化アルゴリズム及びパルスシーケンスの実行を制御するように構成されている。コンピュータ１４０は更に、ＮＭＲ画像化処理によって得られたバイオフィールド画像を画像化ディスプレイ１４６上でマニピュレート、強調、及び表示するように構成された画像処理ソフトウェアを動作させてよい。
【００８２】
コンピュータ１４０は、画像化施設の制御室に置かれてよく、この為、オペレータは、その場所から監視したり制御アクションを開始したりすることが可能である。実施形態によっては、コンピュータ１４０は、ＮＭＲＩシステム及び／又は流体管理システム１１８と作用的に結合されてよい（例えば、直接の電気的接続、又はＷｉ−Ｆｉ、Ｂｌｕｅｔｏｏｔｈ（登録商標）、セルラなどのような無線接続で結合されてよい）。実施形態によっては、コンピュータとＮＭＲＩシステムとの無線接続は、望ましくない環境電磁場を発生させる可能性がある為、直接の電気的接続が好ましいであろう。この構成により、画像化制御と、流体水位制御と、使用の合間に流体容器を空にして所望の水質状態を維持する機能、又は、一代替実施形態の場合には、うつぶせ姿勢の人間被験者をスキャンする為に流体容器を水平位置に配置し直す機能とが可能になる。
【００８３】
バイオフィールド検出の全プロセスを記録する為に、バイオフィールド検出システム上又はその近くに１つ以上のカメラを配置してよい。それらのカメラにより、バイオフィールド検出の遠隔での監視又は観測も可能になる。実施形態によっては、コンピュータ１４０は、バイオフィールド検出システム１００上、又はその中、又はその近くにある全てのカメラのカメラ制御装置１４２を備えるように更に構成されてよく、バイオフィールド検出中に収集された全てのデータの為のデータ記憶装置１４４を備えてよく、ＮＭＲ画像の画像化ディスプレイ１４６、並びに使用中のシステムのあらゆる動作パラメータに関連する動作ディスプレイ１４８を備えてよい。画像化ディスプレイ１４６は、バイオフィールド検出システムによって白黒及び／又はフルカラーで生成される画像（２Ｄ及び／又は３Ｄのビューを含む）の可視化及びマニピュレーションを行うことに適合された高解像度グラフィカルディスプレイであってよい。グラフィカルディスプレイ及び動作ディスプレイは、入力装置（例えば、マウス、キーボード、トラックパッド）及び／又はグラフィカルユーザインタフェース（ＧＵＩ）（例えば、タッチスクリーン）を含んでよく、これらにより、ユーザは、コンピュータ１４０と対話することによって、バイオフィールド画像化プロセス、流体管理、各種センサの状態の監視、並びにプロセス中に生成される画像の生成及び／又はマニピュレーションを開始及び管理することが可能である。
【００８４】
上述のように、本開示のバイオフィールド検出システムは、生体を取り巻くバイオフィールドを検出するように構成され、より具体的には、生体の体を取り巻く流体中のバイオフィールドを検出するように構成される。一実施形態によれば、バイオフィールドを検出する一手法では、最初に、生体が存在しない状態で流体ボリュームのベースラインスキャンシーケンスをＮＭＲＩシステムにより取得し、その後、流体ボリューム内に生体が配置された状態で第２のスキャンを取得する。以下では、バイオフィールドを検出するシステム及び方法について、図５及び図６を参照しながら説明する。
【００８５】
ベースラインスキャンシーケンス：
ベースラインスキャンシーケンスの目的は、生体が存在しない場合の流体ボリューム（例えば、流体容器１０２内の流体）の固有磁場の不均質性及び拡散特性のマップを確定することである。人間被験者の場合は、体のターゲットスキャン場所をあらかじめ決定し、その後、患者の身長及び体重に基づいて、流体容器内の流体ボリュームのターゲット場所を導き出す。オペレータは、ベースラインスキャンによって生成されるマップのターゲット場所が、その後の検出スキャンシーケンスの間にスキャンされる被験者の場所と同じになるように、コンピュータ１４０及び流体管理システム１１８で流体容器内の流体水位を設定してよい。例えば、人間被験者の全身スキャンを実施する場合、オペレータは、被験者の頭より上と足より下の十分な距離にわたって流体が行きわたることが確実な水位まで流体容器を満たしてよい。
【００８６】
実施形態によっては、流体ボリュームのコヒーレンスが高まるように、且つ、双方向相互作用を観測し、調査し、これにアクセスする為の最適環境又は生体通信経路が形成されるように、流体ボリュームの処理が流体管理システムによって行われてよい。流体ボリュームのコヒーレンスを高めることを、例えば、上述のように、流体管理システムによって微量の非水化合物を流体に転化することによって行うことにより、ＮＭＲＩシステムの、生体からバイオフィールド情報を検出する能力を強化することが可能である。流体ボリュームを強化することによって、生体から発せられるバイオフィールドの検出及び特徴化、バイオフィールドに対する環境作用物の影響の検出及び特徴化、並びに処置及び治療の方法の有効性の検出及び特徴化が更に可能になり、新しい方法や強化された方法の開発が更に可能になる。
【００８７】
最初に、オペレータは、ベースラインスキャンの間に使用されるスキャンプロトコルを選択してよい。バイオフィールド検出の為のプロトコルの選択肢は、従来の医療用ＮＭＲＩ手法より限定される。これは、バイオフィールドスキャンのターゲットが、人体内部の構造又は複雑なものを全く含まない、流体容器１０２内の流体ボリュームである為である。一実施形態では、「スピンエコー」パルスシーケンスの一変形を使用して、流体ボリューム内の局所的な磁場不均質性並びに拡散及び空間ひずみの影響を大幅に軽減することが可能である。
【００８８】
オペレータは、ベースラインスキャンを実行する前に、ローカライザ及び／又は較正スキャンを開始してもよい。結果として得られる情報を使用して、視野、位置符号化の方向、スライス厚、ボクセル（空間）寸法、及びパラレルイメージング方法を含むスキャンプロットを精緻化することが可能である。
【００８９】
図６のステップ６０２を参照すると、オペレータは、ＮＭＲＩシステムによりベースラインスキャンを実施してよい。ベースラインスキャンは、自動プリスキャンから始まってよい。このプロセスは、コイルのターニング及びマッチング、ゲイン調節内容の送受信、及びダミーサイクルを含んでよい。ベースラインスキャンシーケンスは、流体容器内のターゲット流体ボリュームに対して実行されてよい。このベースラインスキャンは、図５で説明及び図示されている、ＲＦ送信コイルにより、指定のＲＦ励起パルスシーケンスを送信することと、勾配コイルにより、主磁場に対して空間符号化を施すことと、を含んでよい。実施形態によっては、全体的な画像化サイクル時間を短縮する為に、パラレルイメージング（ＰＩ）手法を用いてよい。
【００９０】
ターゲット流体ボリューム内で１Ｈ核の横（スピン−スピン）緩和によって生成された磁気共鳴信号は、図６のステップ６０４でバイオフィールド検出システム（例えば、図５のコンピュータ１４０及びデータ記憶装置１４４）によって、ＲＦ受信コイルアレイで検出され、増幅され、デジタイズされ、２Ｄ及び／又は３Ｄフーリエ変換を用いて処理され、ベースラインデータセットとして記録及び／又は記憶されてよい。ベースラインデータセットは、流体ボリューム内のＴ２＊横（スピン−スピン）緩和時間のデジタイズされ、空間符号化された定量的な値を含むように処理されてよい。
【００９１】
検出スキャンシーケンス
次に、ターゲット被験者、例えば、人間被験者を、流体容器内のプラットフォーム上に配置してよい。人間被験者は、水着などの衣服を着用したままスキャンされてよく、或いは、衣服を全く着用せずにスキャンされてよい。被験者の頭部は、スキャンされる場所に応じて、水面より上又は下にあってよい。全身スキャンなどのスキャンプロセス中に被験者の頭部が水面より下になる場合には、上述のような呼吸装置が利用されてよい。流体容器内の流体流によって発生する拡散を最小限に抑える為に、ターゲット被験者は、容器内にゆっくり配置されてよい。検出スキャンシーケンスを開始する前に、流体流が静まるように、被験者が流体容器内で静止したままでいる時間を設けてよい。この時間の間に、オペレータは、較正シーケンスを実施し、患者の体の位置に対するスキャンプロットを確認し、必要に応じて調節を行う。
【００９２】
次に、図６のステップ６０６で検出スキャンシーケンスを開始してよい。これは、ベースラインスキャンで既に使用されたものと同じパルスシーケンスを含み、結果として得られるＭＲ信号がやはり、図６のステップ６０８でバイオフィールド検出システムによって検出され、増幅され、デジタイズされ、処理され、検出データセットとして記憶されてよい。検出データセットは、被験者が流体ボリュームの内部に配置された場合の、流体ボリューム内のＴ２＊横（スピン−スピン）緩和時間のデジタイズされ、空間符号化された定量的な値を含む。
【００９３】
次に、図６のステップ６１０を参照すると、前のベースラインスキャンと検出スキャンの記憶済みデータを取り出して比較することにより、ベースラインスキャンと検出スキャンとの間の変化を分離する。これら２つのデータセットを、バイオフィールド検出システムのコンピュータ１４０で、ボクセルレベル及び／又はピクセルレベルで比較及び分析することによって、観測された横（スピン−スピン）緩和時間（Ｔ２＊）及び／又は緩和速度（Ｒ２＊）の離散的な変化を識別して分離することが可能である。上述のように、ベースラインデータセット及び検出データセットは両方とも、流体ボリューム内のＴ２＊横（スピン−スピン）緩和時間のデジタイズされ、空間符号化された定量的な値を含む。但し、ベースラインデータセットは、被験者がいない状態での流体ボリュームのＮＭＲ特性に基づいており、検出データセットは、流体ボリューム内に被験者が配置された状態での流体ボリュームのＮＭＲ特性に基づいている。ベースラインデータセット及び検出データセットの空間符号化済みデータを比較することにより、ベースラインデータセットと検出データセットとの間のＴ２＊時間の変化（ボクセルレベル及びピクセルレベル）を含むバイオフィールドデータセットを生成することが可能である。
【００９４】
画像レンダリング
次に、ステップ６１０で得られた、ベースラインデータセットと検出データセットとの間の局所化された変化を使用して、図６のステップ６１２で、被験者を取り巻くバイオフィールドのバイオフィールド画像をレンダリングすることが可能である。図６のステップ６１４で、レンダリングされた画像が記憶されてよい。変域−値セットに色、輝度、コントラスト、又は他の画像処理手法を割り当て、ボリュームレンダリングを実施することにより、バイオフィールド画像の更なる強調又は可視化が行われてよい。実施形態によっては、バイオフィールド画像は、２つの創発的パターンを示しうる。第１のパターンは、被験者を取り巻き、外に向かって拡大し、被験者の体の形状にほぼ合致する構造化（層状）バイオフィールドパターンであってよい。第２のパターンは、位相コヒーレンスの度合いの変化を表し、多くの場合には、内因性バイオフィールドのコヒーレンスが被験者の病気や障害に起因して漸減することを反映する局所化異常パターンであってよい。生体組織内のコヒーレンスの崩壊は病気の前兆であることが多い為、症状が、肉体的には未だ明白ではないとしても、バイオフィールド画像において識別される可能性がある。
【００９５】
レンダリングされたバイオフィールドスキャン画像は、ユーザが２Ｄ透視及び３Ｄ透視の両方で見てマニピュレートしてよい。２Ｄスキャンの表示は、体の所望の高さにある体アイコンをクリックすることによって行われてよく、その場所におけるバイオフィールドスキャンスライスが表示される。そして、ユーザは、スクロールすることにより、その場所から始まる連続のスキャンスライス画像を見ることが可能である。３Ｄ透視では、ユーザは、内向きの視点を、全バイオフィールド画像を囲む論理球体上の任意の位置まで回転させることが可能である。更に、ユーザは、論理球体に沿って任意の視点からズームイン及びズームアウトすることが可能である。ユーザは、論理球体の外側エッジからの深さに基づいてズームを監視及び制御してよい。域−値セットの選択により、バイオフィールド画像の層又は特徴を除去又は分離することが可能である。実施形態によっては、事前定義された視点位置が可視化システムに自動的にプログラムされてよく、ユーザは、これらの視点位置のいずれかを、ボタンのクリックにより容易に選択することが可能である。例えば、事前定義された視点位置（例えば、前方、後方、側方などのビュー）、並びに論理球体のエッジからの視点をシステムに実装してよい。ユーザは、独自の事前定義された視点位置を定義することも可能であり、これを選択可能にすることが可能である。
【００９６】
このシステムのユーザは、多様な検出信号のうちの特定の域−値に色パレットから色を割り当てることにより、ＮＭＲＩ画像レンダリングプロセスで使用されるユーザ定義のバイオフィールド色スキームを作成してよい。又、実施形態によっては、ユーザは、バイオフィールド画像を見て、レンダリングされたバイオフィールド画像を均質化する際に、あらかじめパッケージされているかユーザが定義する色スキームから選択してよい。同様に、グレースケールのカラー化による、あらかじめ定義されているかユーザがカスタマイズできるコントラスト方式により、バイオフィールド画像内の、構造、輝度、又は形態の不整合のような異常箇所をユーザが強調表示できるようにすることが可能である。
【００９７】
このレンダリングプロセスでは、人間の形そのものがサーフェスレンダリングとして表示されてよく、これは主に、受信コイルアレイが体内の特定の内部解剖学的詳細を検出するように設計されていない為であり、且つ、そのように利用可能ないかなるＭＲ信号も、バイオフィールド検出用途に特に有用というわけではない場合がある為である。レンダリングが体の表面にとどまることは、バイオフィールド画像のレンダリングサイクル時間全体を短縮することにも役立つ。
【００９８】
被験者のバイオフィールドは、被験者の体から外に４０〜８０ｃｍ広がる可能性があり、使用されるレンダリング手法に応じて、半透明の重層的なエネルギ放射場として可視化されてよい。バイオフィールド１５０がどのように可視化できるかの一例を、図７Ａに正面図として、図７Ｂに側面図として、図７Ｃに上から見下ろす図として、それぞれ示す。
【００９９】
次に、オペレータが、レンダリング済みバイオフィールド画像を３Ｄ及び／又は２Ｄで表示及びマニピュレートしてよく、これは、透視図を回転、ズーム、及びマニピュレートすることによって行われる。レンダリング済みバイオフィールド画像において、バイオフィールド内の不均質性又は異常が目に見える場合があり、画像コントラスト手法を導入して、特定のパターン又は域−値セットを選択することにより、それらを更に探索して明らかにすることが可能である。例えば、図７Ｃは、被験者のバイオフィールド１５０を上から見下ろす図であり、これには異常又は不均質性１５１が含まれている。実施形態によっては、バイオフィールド検出システムのコンピュータが、これらの強調を自動的に実施することが可能である。バイオフィールドの選択された透視図が静止画像及び／又は動画としてキャプチャされてよく、これらは、コンピュータ１４０によってデータ記憶装置１４４に記憶されてよい。
【０１００】
曝露／処置フェーズ
次に、図６のステップ６１６で、流体容器内の生体及び／又は流体ボリュームを特定の環境因子に曝露させてよい。例えば、実施形態によっては、１つ以上の環境因子を生体又は流体ボリュームに投入してよい。環境因子を流体ボリューム内に、或いは生体上、生体内、又は生体の近くに投入することにより、生体から発せられて、その環境、及び／又は投入された環境因子と相互作用するバイオフィールドの複雑な双方向相互作用を調査及び観測できるようにすることが可能である。環境因子の投入として、以下のものがあってよい：
【０１０１】
人工電磁場：ＥＭＦ源（例えば、可視光、赤外光）は、流体容器の内側又は外側の場所から体表又は体近くの特定の場所に向けられてよく、マイクロ波放射などの他の電磁放射源（モバイル装置）は、密封容器に入れられて、流体容器内の被験者の体から様々な距離に配置されたり、被験者の手中で保持されたり、被験者の体に装着されたりしてよい。流体容器の外側に電磁波源が配置されてもよい。
【０１０２】
自然発生電磁場：ＥＭＦ源（例えば、日光）は、流体容器の内側又は外側の場所から体表又は体近くの特定の場所に向けられてよい。
【０１０３】
医療及び／又は治療的処置方法：これは、部分的に無生物下で扱われる気体、エアロゾル、液体、又は固体の各形態を含む、西洋医学で使用される化合物を個別に、又は組み合わせて使用することを含んでよい。これは更に、他の補完代替医療（ＣＡＭ）方法を含んでよく、例えば、全体医学システム（鍼、自然療法、ホメオパシ、アーユルベーダ、本草学）、心身医学（瞑想、リフレクソロジ、気功、ヴィパッサナ、ヨガ、太極拳、呼吸、祈り、バイオフィードバック、催眠）、身体技法及びエネルギ医学（オステオパシ／カイロプラクティックケア、マッサージ、筋膜リリース、頭蓋整骨療法、ヒーリングタッチ、レイキ、クリスタル療法）、及び／又は生物学的介入（植物療法、植物油抽出物、プロバイオティクス、臨床栄養療法）を含んでよい。
【０１０４】
化合物、ミネラル、遊離物質、繊維：これらは、密封容器に入れられて、流体容器内の被験者の体から様々な距離に配置されたり、被験者の手中で保持されたり、被験者の体に装着されたりしてよい。実施形態によっては、これらの物質は、流体ボリュームと直接相互作用することができないようになっている。これは、ＮＭＲＩプロセスにおける化学交換の潜在的影響を軽減する為である。
【０１０５】
岩石及び結晶：これらは、流体容器内の被験者の体から様々な距離に配置されたり、被験者の手中で保持されたり、被験者の体に装着されたりしてよい。
【０１０６】
食品：これは、被験者によって摂取されてよく、密封容器に入れられて、流体容器内の被験者の体から様々な距離に配置されたり、被験者の手中で保持されたり、被験者の体に装着されたりしてよい。
【０１０７】
薬物、栄養補助食品：これらは、被験者によって摂取又は吸入されてよく、或いは局所に適用されてよく、或いは付き添う医師によって体内に注入されてよい。
【０１０８】
エアロゾル：これは、被験者によって吸入されてよく、或いは密封容器に入れられて、流体容器内の被験者の体から様々な距離に配置されたり、被験者の手中で保持されたり、被験者の体に装着されたりしてよい。
【０１０９】
後続の検出スキャンシーケンス
流体容器内の生体及び／又は流体ボリュームを特定の環境因子に曝露させた後、１つ以上の後続の検出スキャンシーケンスを、再度、図６のステップ６０６で開始してよい。後続の検出スキャンシーケンスでは、最初の検出スキャンと同じパルスシーケンスを利用してよく、結果として得られるＭＲ信号もやはり、図６のステップ６０８でバイオフィールド検出システムによって検出され、増幅され、デジタイズされ、処理され、後続の検出データセットとして記憶されてよい。後続の検出データセットは、被験者が流体ボリューム内に配置されている場合の流体ボリューム内のＴ２＊横（スピン−スピン）緩和時間のデジタイズされ空間符号化された定量的な値を含んでよい。後続の検出データセットは、やはり上述のように図６のステップ６１０でベースラインスキャンと検出スキャンとの間の変化を分離する為に、取り出されて比較されてよい。後続の検出スキャンに基づく更なる検出画像が、ステップ６１２でレンダリングされてよく、図６のステップ６１４で同様に記憶されてよい。
【０１１０】
流体及び／又は生体への環境因子の投入により、後続の検出スキャンシーケンスの開始に対する遅延時間が変化する可能性があるが、これは、生物学的効果が曝露時間に応じて変わりうる為である。この遅延時間の間、被験者は、流体容器内で静止したままでいることにより、流体ボリューム内の循環流による拡散の影響を最小限に抑えることが可能である。実施形態によっては、前の検出スキャンシーケンスによる水インプリンティング（水の記憶）の潜在的影響をリフレッシュ及び放散する為に、水ボリュームを排出してよく、任意選択で消磁してよく、再充填してよい。オペレータは、適切なタイミングで、較正シーケンスを実施して、被験者の体の位置に対するスキャンプロットを確認してよく、必要に応じて調節を実施してよい。
【０１１１】
バイオフィールド画像の比較： 
図６のステップ６１８で、ベースラインスキャンシーケンス、検出スキャンシーケンス、及びそれに続く曝露／処置後の検出スキャンシーケンスで得られたレンダリング済み画像を取り出し、並べて目視比較してよい。連続する検出スキャンの間のバイオフィールドの変化（空間符号化されたＴ２＊横緩和の変化）を検出して強調表示するように、自動化且つコンピュータ化されたアルゴリズムが構成されてよい。これらの前後変化は、その後、図６のステップ６２０でシステムによって定量化され、強調表示され、記憶されてよい。
【０１１２】
上述のコンピューティングシステムは、上述の方法ステップの多くを実施するソフトウェア又はソフトウェアアルゴリズムを実行するように構成されてよく、これらの方法ステップは、ステップ６０２でベースラインスキャンを実施することと、ステップ６０４でベースラインデータセットを記録及び記憶することと、ステップ６０６で検出スキャンを実施することと、ステップ６０８で検出データセットを記録及び記憶することと、ステップ６１０でベースラインスキャンと検出スキャンとを比較することと、ステップ６１２でバイオフィールド画像をレンダリングすることと、ステップ６１４でレンダリング済み画像を記憶することと、ステップ６１６で生体及び／又は流体ボリュームを環境因子に曝露させることと、ステップ６１８でベースラインスキャン、検出スキャン、及び曝露後スキャンを比較することと、ステップ６２０で前後変化を記憶することと、を含む。コンピューティングシステムは又、レンダリング済みバイオフィールド画像をユーザ又はオペレータに対して表示するように構成されてもよい。
【０１１３】
図８Ａ〜８Ｃは、図６に関して上述されたベースラインスキャンシーケンス、検出スキャンシーケンス、及び後続の検出スキャンシーケンスを比較した後の画像の可視化及び比較の結果がどのように見えうるかを示している。図８Ａ及び図８Ｂに示されるように、最初の検出シーケンスと後続の検出シーケンスとを並べて表示して、目視比較してよい。
【０１１４】
図８Ｃに示されるように、この時点で、これらの検出スキャンの間の混合比較画像、及び定量分析を導出することも可能である。検出スキャン画像及び後続の検出スキャン画像のレンダリングに使用されたデータファイルを取り出して比較するように、コンピュータ化されたアルゴリズムが構成されてよい。これらのデータファイルは、流体ボリューム内の１Ｈ核の空間符号化されたＴ２＊横緩和時間の（ベースラインスキャンからの）変化を表す値を含む。そして、コンピュータアルゴリズムは、検出スキャンファイル及びその後の曝露後検出スキャンファイルに記録された変化をボクセル単位、ピクセル単位で比較して、有意の変化を識別して定量化し、それらを新規の「比較」ファイルに書き込むことが可能である。比較感度は、パラメータ化されてよく、容易に修正可能である。
【０１１５】
そして、結果として得られる比較ファイルを使用して、曝露／処置後画像に重ね合わせることが可能な画像、又は、単独で表示されて、バイオフィールドのうちの、最初の検出スキャンと後続の検出スキャンとの間で変化があった場所だけを示す画像をレンダリングすることが可能である。
【０１１６】
変域−値セットに色が割り当てられ、変化がバイオフィールドの活力の漸減又は増大として視覚的に表されることが可能なカラー化コントラスト方式が利用されてよい。例えば、グレースケールのカラー化により、ユーザは、バイオフィールド画像内の、構造、輝度、又は形態の不整合のような異常箇所を強調表示することが可能になる。バイオフィールドに対する構造的改良を強調表示する為に、明るく鮮やかな色が使用されてよい。
【０１１７】
長期の調査又は治療処置プログラムの場合は、繰り返された測定の結果、並びに関連する、記憶されているバイオフィールドデータファイル及びレンダリングを分析及び比較することにより、バイオフィールドの変化の視覚的且つ定量的な時系列を作成することが可能である。
【０１１８】
本開示のシステム及び方法によって生成されるバイオフィールドデータセット及び／又はバイオフィールド画像を使用することにより、画像化された生体の内因性障害、組織損傷、病気、感染、並びに、神経学的、生理学的、又は心理学的な不調を検出し、識別し、分類し、且つ／又はカタログ登録することが可能である。各症状は、その進行段階、並びに生体の全体的な健康及び活力を含む幾つかの因子に応じて、バイオフィールド画像において、ある異常なパターンとなって現れる。これらのパターンは、解剖学的構造の特定の場所に局所化されている場合があり、鮮明度、形状、及び透明度にばらつきがある場合があり、バイオフィールド内で様々な距離まで延びている場合がある。
【０１１９】
所与のバイオフィールド異常に関連付けられる潜在的症状を識別してカタログ登録することは、最初に、異常なバイオフィールドパターンを、他の従来型の診断手法で識別された症状に関連付けることによって達成可能である。例えば、ある人間被験者が、以前に超音波診断で多発性嚢胞腎（ＰＫＤ）と診断されたとする。このバイオフィールド画像は、患部である腎臓の近くからの異常パターンの発生を示しうる。以前の陽性の診断に基づいて、このパターンは、高確率のＰＫＤとして識別され、カタログ登録されてよく、既知の分類枠組みに関連付けられて、遺伝病及び腎臓病の両方に分類されてよい。定期的に測定を繰り返すことにより、ＰＫＤ病の進行のバイオフィールドパターンであることがわかってくるであろう。ＰＫＤパターンは、他の腎臓病と異なっている場合があり、或いは、腎細胞がんなどの他の腎臓病とよく似ている場合がある。時間が経つにつれ、類似点及び相違点の両方がより精密にわかるようになり、カタログ登録されることが可能である。従って、バイオフィールドパターンは、既知の以前の診断と関連付けられてよい。
【０１２０】
本明細書に記載のバイオフィールド検出システムは更に、バイオフィールド画像内で検出された異常に関連付けられる潜在的病気、感染、生理学的又は心理学的な症状をシステムが識別することを可能にする機械学習診断統合を含んでよい。この機械学習アルゴリズムは、バイオフィールド画像及び関連付けられた潜在的因果的条件のライブラリを利用してよい。このライブラリは、バイオフィールド異常とその推定される原因とを評価する為のヒューリスティックツールとして、ユーザが利用できるようにされてもよい。バイオフィールド検出システムは、手動診断を支援するカタログ登録及び分類システム（例えば、国際的に認識されている分類枠組みＩＣＤ−１０）並びに自動パターン認識及び機械学習診断アルゴリズムを統合してよい。は、以前の診断を利用することに加えて、体内での病気の物理的発現箇所の先まで広がる、病気や障害の進行パターンを確立する好機である。病気のエネルギシグネチャは、病気が体内で物理的に発現する前にバイオフィールドに投影され、病気が治癒するか休眠状態になった後もなかなか消えない場合がある為、本明細書に記載のシステム及び方法を用いるバイオフィールド検出は、病気のライフサイクル進行の拡張された特徴化及び認識を発展させる可能性を提供しうる。そのような診断能力により、バイオフィールドの検出及び画像化は、他の従来型の診断手法の補助にとどまらない、潜在的に優れた診断レベルの方法になる。
【０１２１】
生体被験者を取り巻くバイオフィールドを画像化する方法が提供され、本方法は、核磁気共鳴画像化システムで流体ボリュームをスキャンしてベースラインデータセットを生成するステップと、生体被験者が流体ボリューム内に配置された状態で、核磁気共鳴画像化システムで流体ボリュームをスキャンして検出データセットを生成するステップと、コンピューティングシステムで検出データセットをベースラインデータセットと比較して、流体ボリューム内の観測された横緩和時間及び／又は緩和速度の空間符号化された離散的な変化を含むバイオフィールドデータセットを生成するステップと、コンピューティングシステムで、バイオフィールドデータセットから、生体被験者を取り巻くバイオフィールドの画像を生成するステップと、を含む。
【０１２２】
実施形態によっては、本方法は更に、診断の為に画像中のバイオフィールド異常を識別するステップを含む。又、実施形態によっては、本方法は更に、診断の為に、画像中のバイオフィールド異常をカタログ登録するステップを含む。又、実施形態によっては、本方法は更に、診断の為に、画像中のバイオフィールド異常を既知の分類に関連付けるステップを含む。
【０１２３】
実施形態によっては、本方法は更に、画像に基づいて生体被験者の病気を識別するステップを含む。又、実施形態によっては、本方法は更に、画像に基づいて生体被験者の感染を識別するステップを含む。又、実施形態によっては、本方法は更に、画像に基づいて生体被験者の生理学的症状を識別するステップを含む。又、実施形態によっては、本方法は更に、画像に基づいて生体被験者の心理学的症状を識別するステップを含む。
【０１２４】
一実施形態では、生体被験者は人間被験者を含む。
【０１２５】
実施形態によっては、本方法は更に、流体ボリュームに１つ以上の環境因子を投入するステップと、生体被験者が流体ボリューム内に配置された状態で、核磁気共鳴画像化システムで流体ボリュームをスキャンして第２の検出データセットを生成するステップと、コンピューティングシステムでベースラインデータセットを第２の検出データセットと比較して、流体ボリューム内の観測された横緩和時間及び／又は緩和速度の離散的な変化を含む第２のバイオフィールドデータセットを生成するステップと、コンピューティングシステムで、バイオフィールドデータセットから、生体被験者を取り巻くバイオフィールドの曝露後画像を生成するステップと、を含む。
【０１２６】
実施形態によっては、本方法は更に、曝露後画像を前記画像と比較して、流体ボリュームへの１つ以上の環境因子の投入の前後でのバイオフィールドの変化を検出するステップを含む。
【０１２７】
一実施形態では、１つ以上の環境因子は、人工電磁場、自然発生電磁場、気体、液体、エアロゾル、固体、化合物、ミネラル、繊維、結晶、食品、及び薬物からなる群から選択される。又、実施形態によっては、１つ以上の環境因子は、治療及び処置の方法を含む。
【０１２８】
実施形態によっては、本方法は更に、流体ボリュームのコヒーレンスが高まるように流体ボリュームを処置するステップを含む。
【０１２９】
又、実施形態によっては、本方法は更に、流体ボリュームをスキャンして第２の検出データセットを生成する前に流体ボリュームを消磁するステップを含む。実施形態によっては、本方法は、流体ボリュームをスキャンして第２の検出データセットを生成する前に流体ボリュームを消磁するステップを含む。
【０１３０】
一実施形態では、本方法は更に、生体被験者を取り巻くバイオフィールドの画像を表示するステップを含む。実施形態によっては、本方法は更に、生体被験者を取り巻くバイオフィールドの曝露後画像を表示するステップを含む。
【０１３１】
一実施形態では、ベースラインデータセットは、生体被験者が流体ボリューム内に配置されていない状態で生成される。実施形態によっては、生体被験者を取り巻くバイオフィールドの画像は、生体被験者を取り巻く流体ボリュームにのみ関連する画像化情報を提供し、生体被験者の解剖学的詳細に関連する画像化情報を提供しない。
【０１３２】
本発明を、特定の好ましい実施形態及び実施例の文脈で開示してきたが、当業者であれば理解されるように、本発明は、それらの具体的に開示された実施形態にとどまらず、本発明の他の代替実施形態及び／又は使用法、並びにこれらの自明な修正物及び等価物を包含する。上述の実施形態に対する様々な修正が、当業者であれば容易に理解されるであろうし、本明細書において定義される一般原理は、本発明の趣旨又は範囲から逸脱しない限り、他の実施形態にも当てはまりうる。従って、本明細書において開示された本発明の範囲は、上述の特定の開示された実施形態によって限定されるべきではなく、後述の特許請求の範囲を正しく解釈することによってのみ決定されるべきものとする。
【０１３３】
特に、材料及び製造手法は、当業者のレベルの範囲で用いられてよい。更に、単数のアイテムへの参照は、同じアイテムが複数存在する可能性を包含する。より具体的には、本明細書及び添付の特許請求の範囲で使用される単数形「ａ」、「ａｎ」、「ｓａｉｄ」、及び「ｔｈｅ」は、文脈上明らかに矛盾する場合を除き、複数の指示語も同様に包含するものとする。本明細書では、特に断らない限り、語句「又は」は、提示された全ての代替物を包含し、本質的には、よく使用される語句である「及び／又は」と同義である。従って、例えば、「Ａ又はＢは青であってよい」という語句は、「Ａだけが青である」、「Ｂだけが青である」、「ＡとＢの両方が青である」、「ＡとＢとＣが青である」のいずれかの意味であってよい。更に、特許請求の範囲は、あらゆる任意選択の要素を排除するように書かれてよいことにも注意されたい。従って、本明細書は、特許請求の範囲の構成要素の記述、又は「否定的」限定の使用に関連して「唯一（ｓｏｌｅｌｙ）」、「のみ（ｏｎｌｙ）」などのような排他的術語を使用する為の先行詞として働くものとする。本明細書において別段の定義がない限り、本明細書において使用される全ての技術用語及び科学用語は、本発明が属する技術分野の当業者によって一般的に理解されている意味と同じ意味を有する。
【図１】
2018519118.tif 000003
【図２】
2018519118.tif 000004
【図３】
2018519118.tif 000005
【図４】
2018519118.tif 000006
【図５】
2018519118.tif 000007
【図６】
2018519118.tif 000008
【図７】
2018519118.tif 000009
【図８】
2018519118.tif 000010
【国際調査報告】
2018519118.tif 000011